(57)【要約】【課題】被印刷体に形成された画像に様々な意匠性を付与する。【解決手段】インクジェットプリンタ１０と、インクジェットプリンタ１０を制御して画像が形成された被印刷体の表面に所定形状のパターンを印刷させるパターン印刷制御装置２０と、を備え、パターン印刷制御装置２０は、被印刷体に形成された画像の画像データを取得する画像データ取得部２１と、画像データを複数の領域に分割する画像分割部２２と、領域ごとに色情報を取得する色情報取得部２３と、領域ごとの色情報に基づいて領域ごとにパターンの設定パラメータを対応付ける対応付け部２４と、領域ごとに対応付けた設定パラメータのパターンを印刷させる印刷データを生成してインクジェットプリンタ１０に送信する印刷制御部２５と、色情報と設定パラメータとの対応関係を設定した対応テーブルを記憶する記憶部２６とを備える。【選択図】図１
2011119996.tif 000002
【特許請求の範囲】
【請求項１】
被印刷体に線状のパターンを印刷させるパターン印刷制御装置であって、
画像データを取得する画像データ取得部と、
前記画像データ取得部で取得した前記画像データを複数の領域に分割し、前記領域ごとの色情報を取得する色情報取得部と、
前記領域ごとの色情報に基づいて前記領域ごとにパターンの形状情報を対応付ける対応付け部と、
前記領域ごとに対応付けられた前記形状情報のパターンを前記被印刷体に印刷させる印刷制御部と、
を有する、パターン印刷制御装置。
【請求項２】
前記形状情報は、パターンの種別、線の形状、線の角度、線の太さ、線の数及びインクの厚みの少なくとも一つを含む、請求項１に記載のパターン印刷方法。
【請求項３】
前記印刷処理部は、インクジェット方式によりパターンを印刷させる、請求項１又は２に記載のパターン印刷方法。
【請求項４】
前記被印刷体には画像が形成されており、
前記画像データ取得部は、前記被印刷体から前記画像を読み取って前記画像データを作成する、請求項１〜３の何れか１項に記載のパターン印刷方法。
【請求項５】
前記対応付け部は、予め色情報とパターンの形状情報との対応関係を定めておき、前記領域ごとの色情報と前記対応関係とに基づいて前記領域ごとにパターンの形状情報を対応付ける、請求項１〜４の何れか一項に記載のパターン印刷方法。
【請求項６】
前記対応関係は、乱数を用いて定めたものである、請求項５記載のパターン印刷方法。
【請求項７】
被印刷体に線状のパターンを印刷させるパターン印刷制御方法であって、
画像データを取得する画像データ取得工程と、
前記画像データ取得工程で取得した前記画像データを複数の領域に分割し、前記領域ごとの色情報を取得する色情報取得工程と、
前記領域ごとの色情報に基づいて前記領域ごとにパターンの形状情報を対応付ける対応付け工程と、
前記領域ごとに対応付けられた前記形状情報のパターンを前記被印刷体に印刷させる印刷制御工程と、
を有する、パターン印刷制御方法。
【請求項８】
被印刷体に線状のパターンを印刷させるパターン印刷制御プログラムであって、
画像データを取得する画像データ取得工程と、
前記画像データ取得工程で取得した前記画像データを複数の領域に分割し、前記領域ごとの色情報を取得する色情報取得工程と、
前記領域ごとの色情報に基づいて前記領域ごとにパターンの形状情報を対応付ける対応付け工程と、
前記領域ごとに対応付けられた前記形状情報のパターンを前記被印刷体に印刷させる印刷制御工程と、
をコンピュータに処理させる、パターン印刷制御プログラム。
【請求項９】
被印刷体に線状のパターンを印刷するパターン印刷システムであって、
画像データを取得する画像データ取得部と、前記画像データ取得部で取得した前記画像データを複数の領域に分割し、前記領域ごとの色情報を取得する色情報取得部と、前記領域ごとの色情報に基づいて前記領域ごとにパターンの形状情報を対応付ける対応付け部と、前記領域ごとに対応付けられた前記形状情報のパターンを前記被印刷体に印刷させる印刷制御部と、を有する、パターン印刷制御装置と、
前記パターン印刷制御装置の制御により、前記被印刷体にパターンを印刷するプリンタと、
を備えるパターン印刷システム。
【発明の詳細な説明】
【技術分野】
【０００１】
本発明は、被印刷体に線状のパターンを印刷させるパターン印刷制御装置、パターン印刷制御方法、パターン印刷制御プログラム及びパターン印刷システムに関する。
【背景技術】
【０００２】
特許文献１には、樹脂層に印刷された模様印刷層の表面に、別の白地層を形成することが記載されている。
【先行技術文献】
【特許文献】
【０００３】
【特許文献１】特開２００７−０６２１２４号公報
【発明の概要】
【発明が解決しようとする課題】
【０００４】
しかしながら、特許文献１に記載された技術は、模様印刷層の表面に形成される層が一様な白地層であるため、被印刷体に新たな意匠性を加えるものではない。
【０００５】
そこで、本発明は、被印刷体に様々な意匠性を付与することができるパターン印刷制御装置、パターン印刷制御方法、パターン印刷制御プログラム及びパターン印刷システムを提供することを目的とする。
【課題を解決するための手段】
【０００６】
本発明に係るパターン印刷制御装置は、被印刷体に線状のパターンを印刷させるパターン印刷制御装置であって、画像データを取得する画像データ取得部と、画像データ取得部で取得した画像データを複数の領域に分割し、領域ごとの色情報を取得する色情報取得部と、領域ごとの色情報に基づいて領域ごとにパターンの形状情報を対応付ける対応付け部と、領域ごとに対応付けられた形状情報のパターンを被印刷体に印刷させる印刷制御部と、を有する。
【０００７】
本発明に係るパターン印刷制御装置では、取得した画像データを複数に分割した領域ごとに色情報を取得し、この領域ごとの色情報に基づいてパターンの形状情報を対応付け、この領域ごとに対応付けられたパターンを被印刷体に印刷させる。このように、領域ごとに色情報に応じた形状情報のパターンを対応付けるため、被印刷体に、所定の領域ごとに様々な形状のパターンを印刷させることができる。これにより、被印刷体に様々な意匠性を付与することができる。
【０００８】
この場合、形状情報は、パターンの種別、線の形状、線の角度、線の太さ、線の数及びインクの厚みの少なくとも一つを含むことが好ましい。このように、形状情報として、パターンの種別、線の形状、線の角度、線の太さ、線の数及びインクの厚みの少なくとも一つを含ませることで、被印刷体に印刷させるパターンを多種多様に変化させることができる。
【０００９】
そして、印刷処理部は、インクジェット方式によりパターンを印刷させることが好ましい。このように、インクジェット方式によりパターンを印刷させることで、様々な形状のパターンを簡易に印刷させることがでる。
【００１０】
また、被印刷体には画像が形成されており、画像データ取得部は、被印刷体から画像を読み取って画像データを作成することが好ましい。このように、被印刷体から画像を読み取って画像データを取得することで、被印刷体に形成された画像上に様々な形状のパターンを印刷させることができる。これにより、被印刷体に形成された画像に様々な意匠性を付与することができる。
【００１１】
また、対応付け部は、予め色情報とパターンの形状情報との対応関係を定めておき、領域ごとの色情報と対応関係とに基づいて領域ごとにパターンの形状情報を対応付けることが好ましい。このように、予め色情報とパターンの形状情報との対応関係を定めておくことで、領域ごとの色情報とパターンの形状情報との対応付けを簡易かつ迅速に行うことができる。
【００１２】
なお、対応関係は、乱数を用いて定めてもよい。このように、乱数を用いて色情報とパターンの形状情報との対応関係を定めることで、色情報とパターンの形状情報とをランダムに対応付けることができる。これにより、同じような色の画像であっても様々な形状のパターンを印刷することができ、また、どのような形状のパターンが印刷されるのか分からないという娯楽性を持たせることもできる。
【００１３】
本発明に係るパターン印刷制御方法は、被印刷体に線状のパターンを印刷させるパターン印刷制御方法であって、画像データを取得する画像データ取得工程と、画像データ取得工程で取得した画像データを複数の領域に分割し、領域ごとの色情報を取得する色情報取得工程と、領域ごとの色情報に基づいて領域ごとにパターンの形状情報を対応付ける対応付け工程と、領域ごとに対応付けられた形状情報のパターンを被印刷体に印刷させる印刷制御工程と、を有する。
【００１４】
本発明に係るパターン印刷方法では、取得した画像データを複数に分割した領域ごとに色情報を取得し、この領域ごとの色情報に基づいてパターンの形状情報を対応付け、この領域ごとに対応付けられたパターンを被印刷体に印刷させる。このように、領域ごとに色情報に応じた形状情報のパターンを対応付けるため、被印刷体に、所定の領域ごとに様々な形状のパターンを印刷させることができる。これにより、被印刷体に様々な意匠性を付与することができる。
【００１５】
本発明に係るパターン印刷制御プログラムは、被印刷体に線状のパターンを印刷させるパターン印刷制御プログラムであって、画像データを取得する画像データ取得工程と、画像データ取得工程で取得した画像データを複数の領域に分割し、領域ごとの色情報を取得する色情報取得工程と、領域ごとの色情報に基づいて領域ごとにパターンの形状情報を対応付ける対応付け工程と、領域ごとに対応付けられた形状情報のパターンを被印刷体に印刷させる印刷制御工程と、をコンピュータに処理させる。
【００１６】
本発明に係るパターン印刷プログラムでは、コンピュータの処理により、取得した画像データを複数に分割した領域ごとに色情報を取得し、この領域ごとの色情報に基づいてパターンの形状情報を対応付け、この領域ごとに対応付けられたパターンを被印刷体に印刷させる。このように、領域ごとに色情報に応じた形状情報のパターンを対応付けるため、被印刷体に、所定の領域ごとに様々な形状のパターンを印刷させることができる。これにより、被印刷体に様々な意匠性を付与することができる。
【００１７】
本発明に係るパターン印刷システムは、被印刷体に線状のパターンを印刷するパターン印刷システムであって、画像データを取得する画像データ取得部と、画像データ取得部で取得した画像データを複数の領域に分割し、領域ごとの色情報を取得する色情報取得部と、領域ごとの色情報に基づいて領域ごとにパターンの形状情報を対応付ける対応付け部と、領域ごとに対応付けられた形状情報のパターンを被印刷体に印刷させる印刷制御部と、を有する、パターン印刷制御装置と、パターン印刷制御装置の制御により、被印刷体にパターンを印刷するプリンタと、を備える。
【００１８】
本発明に係るパターン印刷システムでは、パターン印刷制御装置が、取得した画像データを複数に分割した領域ごとに色情報を取得し、この領域ごとの色情報に基づいてパターンの形状情報を対応付けると、プリンタは、パターン印刷制御装置の制御により、この領域ごとに対応付けられたパターンを被印刷体に印刷する。このように、領域ごとに色情報に応じた形状情報のパターンを対応付けるため、被印刷体に、所定の領域ごとに様々な形状のパターンを印刷することができる。これにより、被印刷体に様々な意匠性を付与することができる。
【発明の効果】
【００１９】
本発明によれば、被印刷体に形成された画像に様々な意匠性を付与することができる。
【図面の簡単な説明】
【００２０】
【図１】本実施形態に係るパターン印刷システムの構成を示した図である。
【図２】画像分割部による画像データの分割例を示した図である。
【図３】色情報と設定パラメータとの対応関係を設定した対応テーブルの一例を示した図である。
【図４】対応テーブルの具体例を示した図である。
【図５】波線の具体例を示す図であり、（ａ）は曲線波状の波線、（ｂ）は三角歯状の曲線を示している。
【図６】領域と設定パラメータとを対応付けた対応表の一例を示した図である。
【図７】パターン印刷制御装置の処理動作を示すフローチャートである。
【図８】方形の画像が形成された被印刷体に印刷されたパターンの一例を示す図であり、（ａ）は、パターンが印刷される前の状態、（ｂ）は、パターンが印刷された状態を示している。
【図９】円形の画像が形成された被印刷体に印刷されたパターンの一例を示す図であり、（ａ）は、パターンが印刷される前の状態、（ｂ）は、パターンが印刷された状態を示している。
【発明を実施するための形態】
【００２１】
以下、図面を参照して、本発明に係るパターン印刷制御装置、パターン印刷制御方法、パターン印刷制御プログラム及びパターン印刷システムの好適な実施形態について詳細に説明する。なお、全図中、同一又は相当部分には同一符号を付すこととする。
【００２２】
図１は、本実施形態に係るパターン印刷システムの構成を示した図である。図１に示すように、パターン印刷システム１は、被印刷体に形成された画像の表面に様々な形状のパターンを印刷するものである。このため、パターン印刷システム１は、インクジェットプリンタ１０と、インクジェットプリンタ１０の印刷制御を行うパターン印刷制御装置２０と、を備えている。なお、被印刷体に形成された画像は、様々な色に着色（彩色）されている。
【００２３】
インクジェットプリンタ１０は、透明又は半透明のインク液滴を吐出して印刷を行うインクジェット方式のプリンタであり、パターン印刷制御装置２０による印刷制御により被印刷体に形成された画像の表面に所定形状のパターンを印刷するものである。
【００２４】
パターン印刷制御装置２０は、インクジェットプリンタ１０を印刷制御して、被印刷体に形成された画像の表面に、所定形状のパターンを印刷させるものである。
【００２５】
パターン印刷制御装置２０は、画像データ取得部２１、画像分割部２２、色情報取得部２３、対応付け部２４、印刷制御部２５、記憶部２６として機能する。なお、パターン印刷制御装置２０は、パソコンなどで構成されており、具体的には、パソコンなどに搭載されたＲＩＰ（Raster Image Processor）や記憶装置などで実現される。このため、パターン印刷制御装置２０は、例えば、ＣＰＵ、ＲＯＭ、ＲＡＭを含むコンピュータを主体として構成されており、上記の各機能を実現するためのコンピュータプログラムがＲＯＭなどに記憶されている。そして、ＣＰＵやＲＡＭ上に上記のコンピュータプログラムを読み込ませ、ＣＰＵの制御の下で動作させることで、上記の各機能が実現される。
【００２６】
画像データ取得部２１は、被印刷体に形成された画像の画像データを取得するものである。画像データ取得部２１は、如何なる手段で画像データを取得してもよい。例えば、作図アプリケーションなどから直接画像データを取得することができる場合は、この作図アプリケーションなどから直接画像データを取得する。また、作図アプリケーションなどから直接画像データを取得することができる場合は、被印刷体に形成された画像をスキャナやＣＣＤカメラなどで読み取り、画像データを生成することで画像データを取得する。
【００２７】
画像分割部２２は、画像データ取得部２１で取得した画像データを、複数の領域に分割するものである。画像分割部２２は、任意の形状の領域に分割することができ、例えば、方形や同心円状などに設定することができる。また、画像分割部２２は、任意の大きさの領域に分割することができ、例えば、５ｍｍ×５ｍｍの高分解や１０ｃｍ×１０ｃｍの低分解などに設定することができる。
【００２８】
図２は、画像分割部による画像データの分割例を示した図である。図２では、分割する領域の形状を、縦ｈ×横ｗの方形とし、画像データＤを領域Ｘ１〜領域Ｘ４の４つの領域に分割する例を示している。そして、画像分割部２２は、図２に示すように、画像データＤを方形の領域に分割する場合は、各領域の縦ｈ×横ｗの寸法を特定する。なお、各領域の寸法を特定する代わりに、分割する領域の数を特定してもよい。
【００２９】
色情報取得部２３は、画像分割部２２で分割した領域ごとに、色情報を取得するものである。色情報とは、色に関する様々な情報であって、明度、ＲＧＢ、ＹＭＣＫなどの数値化可能な情報である。通常、パソコン上では画像データがＲＧＢで表現されており、インクジェットプリンタに送信する印刷データ上では画像データがＹＭＣＫで表現されている。このため、処理工数の増加の観点から、これらの情報を色情報として取得することが好ましい。
【００３０】
そして、色情報取得部２３は、領域ごとの色情報を取得する際、各領域における色情報の平均値を取得してもよく、また、各領域の中心点やこの中心点を含む所定範囲の色情報を取得してもよい。
【００３１】
対応付け部２４は、色情報取得部２３で取得した領域ごとの色情報に基づいて、この領域ごとにパターンの設定パラメータ（形状情報）を対応付けるものである。設定パラメータとは、パターンの形状を特定するための形状情報であって、直線、曲線、模様などのパターンの形状種別を特定する種別パラメータ、実線や破線などの線の形状を特定する形状パラメータ、線の太さを特定する太さパラメータ、線の数（又はピッチ）を特定する線数パラメータ、インクの厚みを特定する厚みパラメータなどがある。
【００３２】
そして、対応付け部２４は、予め作成された対応テーブルを参照することで、領域ごとに色情報に基づいて上述したパターンの設定パラメータを対応付ける。
【００３３】
図３は、色情報と設定パラメータとの対応関係を設定した対応テーブルの一例を示した図である。図３に示すように、対応テーブルは、色情報と設定パラメータとの対応関係が設定されており、例えば、色情報として、ＹＣＭＫを採用した場合は、Ｙ（イエロー）の割合に応じて形状パラメータのａ１〜ａ５が対応付けられており、M（マゼンタ）の割合に応じて角度パラメータのｂ１〜ｂ５が対応付けられており、Ｃ（シアン）の割合に応じて線数パラメータのｃ１〜ｃ５が対応付けられており、Ｋ（ブラック）の割合に応じて太さパラメータのｄ１〜ｄ５が対応付けられている。
【００３４】
図４は、対応テーブルの具体例を示した図である。図４に示すように、対応テーブルは、例えば、Ｙの形状パラメータとして、０〜２０には直線、２１〜４０には破線、４１〜６０には波線１、６１〜８０には破線２、８１〜１００には同心円が対応付けられている。なお、波線１は、図５（ａ）に示す曲線波状の波線であり、波線２は、図５（ｂ）に示す三角歯状の曲線である。また、Ｃの角度パラメータとして、０〜２０には０°、２１〜４０には３０°、４１〜６０には４５°、６１〜８０には６０°、８１〜１００には９０°が対応付けられている。また、Ｍの線数パラメータとして、０〜２０には５［本／ｃｍ］、２１〜４０には１０［本／ｃｍ］、４１〜６０には１５［本／ｃｍ］、６１〜８０には２０［本／ｃｍ］、８１〜１００には３０［本／ｃｍ］が対応付けられている。また、Ｋの太さパラメータとして、０〜２０には０．２５ｐｔ（０．０９ｍｍ）、２１〜４０には０．５ｐｔ（０．１８ｍｍ）、４１〜６０には１ｐｔ（０．３５ｍｍ）、６１〜８０には１．５ｐｔ（０．５３ｍｍ）、８１〜１００には２ｐｔ（０．７１ｍｍ）が対応付けられている。
【００３５】
そして、対応付け部２４は、図６に示すように、領域ごとに設定パラメータを対応付けた対応表を作成し、記憶部２６に一時記憶する。図６は、領域と設定パラメータとを対応付けた対応表の一例を示した図である。図６に示すように、対応表は、領域と設定パラメータとで構成されており、分割された領域（領域Ｘ１〜領域Ｘ４）ごとに、対応する形状パラメータａ１〜ａ５、角度パラメータｂ１〜ｂ５、線数パラメータｃ１〜ｃ５、太さパラメータｄ１〜ｄ５を対応表に記録する。例えば、色情報取得部２３が、ある領域の色情報として、Ｙ＝１０、Ｃ＝３０、Ｍ＝５０、Ｋ＝９０を取得すると、対応付け部２４は、この領域の対応表に、形状パラメータとしてａ１を、角度パラメータとしてｂ２を、線数パラメータとしてｃ３を、太さパラメータとしてｄ５を記録する。
【００３６】
印刷制御部２５は、対応付け部２４で領域ごとに対応付けた設定パラメータのパターンを印刷させる印刷データを生成し、この生成した印刷データをインクジェットプリンタ１０に送信することで、インクジェットプリンタ１０の印刷制御を行うものである。
【００３７】
記憶部２６は、対応付け部２４が参照する対応テーブル（図３参照）を記憶すると共に、対応付け部２４が作成する対応表（図６参照）を一時記憶する記憶装置である。
【００３８】
次に、パターン印刷システム１の処理動作について説明する。図７は、パターン印刷制御装置の処理動作を示すフローチャートである。なお、以下に説明する処理は、パターン印刷制御装置２０において、ＣＰＵなどで構成される処理部（不図示）が、ＲＯＭなどの記憶装置に記録されたコンピュータプログラムを実行させることにより行われる。
【００３９】
まず、パターン印刷制御装置２０は、被印刷体に形成された画像の画像データを取得する（ステップＳ１）。このとき、作図アプリケーションなどから直接画像データを取得することができる場合は、この作図アプリケーションなどから直接画像データを取得し、直接画像データを取得することができる場合は、被印刷体に形成された画像をスキャナなどで読み取って画像データを生成し、画像データを取得する。
【００４０】
次に、パターン印刷制御装置２０は、ステップＳ１で取得した画像データを複数の領域に分割する（ステップＳ２）。なお、ステップＳ２では、初期設定やユーザの設定に基づいて、分割する領域の形状及び分解能（領域の寸法）が特定される。
【００４１】
次に、パターン印刷制御装置２０は、ステップＳ２で分割した領域ごとに色情報を取得する（ステップＳ３）。なお、ステップＳ３では、初期設定やユーザの設定に基づいて、各領域における色情報の平均値を取得するのか、各領域の中心点やこの中心点を含む所定範囲の色情報を取得のかが特定される。
【００４２】
次に、パターン印刷制御装置２０は、ステップＳ３で取得した領域ごとの色情報に基づいて、領域ごとにパターンの設定パラメータを対応付ける（ステップＳ４）。すなわち、ステップＳ４では、図３に示す対応テーブルを参照して、領域ごとに色情報から各設定パラメータを対応付ける。そして、図６に示す対応表を作成し、この対応表を一時記憶する。
【００４３】
次に、パターン印刷制御装置２０は、ステップＳ４で領域ごとに対応付けた設定パラメータのパターンをインクジェットプリンタ１０に印刷させるための印刷データを生成する（ステップＳ５）。
【００４４】
次に、パターン印刷制御装置２０は、ステップＳ５で生成した印刷データをインクジェットプリンタ１０に送信する（ステップＳ６）。
【００４５】
一方、インクジェットプリンタ１０は、パターン印刷制御装置２０からステップＳ６で送信された印刷データを受信すると、この受信した印刷データと被印刷体に形成された画像との位置が合致するように被印刷体を移動させる。なお、予め、受信した印刷データと被印刷体に形成された画像との位置が合致していれば、特に被印刷体を移動させる必要は無い。
【００４６】
そして、インクジェットプリンタ１０は、この受信した印刷データに基づいて、領域ごとに対応付けられた設定パラメータのパターンを、被印刷体に印刷する。これにより、被印刷体に形成された画像の表面には、パターン印刷制御装置２０により領域ごとに対応付けられた設定パラメータのパターンが印刷される。
【００４７】
図８及び図９に、被印刷体に印刷されたパターンの一例を示す。図８は、方形の画像が形成された被印刷体に印刷されたパターンの一例を示す図であり、（ａ）は、パターンが印刷される前の状態、（ｂ）は、パターンが印刷された状態を示している。図９は、円形の画像が形成された被印刷体に印刷されたパターンの一例を示す図であり、（ａ）は、パターンが印刷される前の状態、（ｂ）は、パターンが印刷された状態を示している。
【００４８】
図８（ａ）に示すように、色分けにより市松模様となった画像Ｇが被印刷体Ｍに形成されている場合、この画像Ｇの画像データを市松模様に沿った方形領域に分割し、領域ごとに色情報に基づいてパターンの設定パラメータを対応付けることで、図８（ｂ）に示すように、画像Ｇに、領域ごとに異なる形状のパターンが印刷される。また、図９（ａ）に示すように、色分けにより同心円模様となった画像Ｇが被印刷体Ｍに形成されている場合、この画像Ｇの画像データを同心円模様に沿った環状領域に分割し、領域ごとに色情報に基づいてパターンの設定パラメータを対応付けることで、図９（ｂ）に示すように、画像Ｇに、領域ごとに異なる形状のパターンが印刷される。
【００４９】
このように、被印刷体Ｍに形成された画像Ｇに、様々な形状のパターンが印刷されることで、独創的な意匠性が付与されることがわかる。
【００５０】
このように、本実施形態によれば、パターン印刷制御装置２０において、領域ごとに色情報に応じた設定パラメータのパターンを対応付けるため、被印刷体の画像上に、所定の領域ごとに様々な形状のパターンを印刷させることができる。これにより、被印刷体に形成された画像に様々な意匠性を付与することができる。
【００５１】
そして、パターンの設定パラメータとして、種別パラメータ、形状パラメータ、角度パラメータ、太さパラメータ、線数パラメータ、厚みパラメータなどを採用することで、被印刷体に印刷させるパターンを多種多様に変化させることができる。
【００５２】
更に、パターン印刷制御装置２０は、インクジェットプリンタ１０に被印刷体にパターンを印刷させることで、様々な形状のパターンを簡易に印刷させることができる。
【００５３】
また、パターン印刷制御装置２０は、画像データに基づいて処理を行うことで、領域の分割や色情報の取得などをより簡易的に行うことができ、更に、被印刷体から画像を読み取って画像データを生成することで、被印刷体の画像データが無い場合であっても、適切に画像データを取得することができる。
【００５４】
そして、予め色情報とパターンの設定パラメータとを対応させた対応パターンを準備しておくことで、領域ごとの色情報とパターンの設定パラメータとの対応付けを簡易かつ迅速に行うことができる。
【００５５】
以上、本発明の好適な実施形態について説明したが、本発明は上記実施形態に限定されるものではない。例えば、上記実施形態において、被印刷体への画像の形成は特に説明しなかったが、予め画像が形成された被印刷体を用意して、この画像の表面にパターンを印刷してもよく、被印刷体にパターン印刷を行う前にインクジェットプリンタ１０で被印刷体に画像を印刷した後工程として、この画像の表面にパターンを印刷するようにしてもよい。
【００５６】
また、上記実施形態では、インクジェットプリンタ１０は、透明又は半透明のインク液滴を吐出してパターンを印刷するものとして説明したが、例えば、不透明のインクや有色のインクを吐出してパターンを印刷するものとしてもよい。
【００５７】
また、上記実施形態では、パターン印刷制御装置２０の各機能を別々に説明したが、例えば、画像分割部２２と色情報取得部２３とを一つに組み合わせるなど、任意の２以上の機能を一つに組み合わせてもよい。
【００５８】
また、上記実施形態では、被印刷体に形成された画像の表面にパターンを印刷するものとして説明したが、この画像の枠を超えて被印刷体の表面にパターンを印刷するものとしてもよい。
【００５９】
また、上記実施形態において、パターン印刷制御装置２０は、インクジェットプリンタ１０にパターンを印刷させるものとして説明したが、インクジェット方式以外のプリンタにパターンを印刷させるものとしてもよい。
【００６０】
また、上記実施形態において、パターン印刷制御装置２０は、図３に示すような対応テーブルにより、色情報と設定パラメータとの対応関係が特定されていたが、色情報と設定パラメータとの対応関係は乱数を用いて定めてもよい。このように、乱数を用いて色情報とパターンの形状情報との対応関係を定めることで、色情報とパターンの形状情報とをランダムに対応付けることができる。これにより、同じような色の画像であっても様々な形状のパターンを印刷することができ、また、どのような形状のパターンが印刷されるのか分からないという娯楽性を持たせることもできる。
【００６１】
また、上記実施形態では、パターン印刷制御装置２０をインクジェットプリンタ１０とは別の装置であるものとして説明したが、パターン印刷制御装置２０をインクジェットプリンタ１０に組み込むものとしてもよい。
【００６２】
また、上記実施形態では、被印刷体に画像が形成されており、画像データ取得部２１が、この被印刷体に形成された画像の画像データを取得するものとして説明したが、被印刷体には特に画像などが形成されてなくてもよく、単に、描画アプリケーションなどで作成した画像を画像データとして取得するものとしてもよい。この場合、例えば、画像などが形成されていない無地の被印刷体に、描画アプリケーションなどで作成した画像に基づく所定形状のパターンが印刷される。これにより、上記実施形態と同様に、被印刷体に新たな意匠性を付与することができる。
【符号の説明】
【００６３】
１…パターン印刷システム、１０…インクジェットプリンタ、２０…パターン印刷制御装置、２１…画像データ取得部、２２…画像分割部、２３…色情報取得部、２４…対応付け部、２５…印刷制御部、２６…記憶部、Ｄ…画像データ、Ｇ…画像、Ｍ…被印刷体。
【図１】
2011119996.tif 000003
【図２】
2011119996.tif 000004
【図３】
2011119996.tif 000005
【図４】
2011119996.tif 000006
【図５】
2011119996.tif 000007
【図６】
2011119996.tif 000008
【図７】
2011119996.tif 000009
【図８】
2011119996.tif 000010
【図９】
2011119996.tif 000011